(57)【要約】【課題】乗入室内に設置されたカメラの画像をユーザーに確実に確認させ、乗入室の内部に人やペット等が居残ることを防止して安全性を高める。【解決手段】安全確認システムＳＣＳは、ユーザーが操作するタッチパネル式の操作画面４５と、駐車車両の入出庫が行われる乗入室７の内部における駐車車両および人等の存在や駐車車両の停車位置等を検知するセンサ３０と、乗入室７の内部状況を撮影する乗入室カメラ３５Ａ〜３５Ｄと、制御装置４０と、を具備している。制御装置４０は、操作画面４５に、乗入室カメラ３５Ａ〜３５Ｄによって撮影されたリアルタイムな画像情報と、センサ３０のリアルタイムな検知情報と、ユーザーが乗入室７内の安全を確認したことを報知する安全確認ボタンＳＢ１〜ＳＢ４とを併せて表示し、ユーザーによる安全確認時に安全確認ボタンＳＢ１〜ＳＢ４が押されない限り、次の操作段階に移行しないように制御される。【選択図】図２
2019073968.tif 000002
【特許請求の範囲】
【請求項１】
駐車車両の入出庫が行われる乗入室と、
前記乗入室の入出庫口を開閉する入出庫扉と、
前記駐車車両を搬送する搬送機と、
前記駐車車両のユーザーが、認証操作および、前記入出庫扉の開閉、起動といった機械操作を行うタッチパネル式の操作画面と、
を備えた機械式駐車場設備における、前記乗入室内部の安全確認を行うための安全確認システムであって、
前記操作画面と、
前記乗入室の内部における前記駐車車両および人等の存在や前記駐車車両の停車位置等を検知するセンサと、
前記乗入室の内部状況を撮影する乗入室カメラと、
制御装置と、を具備し、
前記制御装置は、前記操作画面に、
前記乗入室カメラによって撮影されたリアルタイムな画像情報と、
前記ユーザーが前記乗入室内の安全を確認したことを報知する安全確認ボタンと、
を併せて表示させることを特徴とする機械式駐車場設備の安全確認システム。
【請求項２】
前記制御装置は、前記操作画面に、前記画像情報および前記安全確認ボタンと共に、前記センサのリアルタイムな検知情報を併せて表示することを特徴とする請求項１に記載の機械式駐車場設備の安全確認システム。
【請求項３】
前記ユーザーによる前記乗入室内部の安全確認時に、前記制御装置は、前記センサが前記乗入室内のエラー状況を検知していないことを条件に、前記操作画面に前記画像情報と共に前記安全確認ボタンを表示し、該安全確認ボタンが押されない限り、次の操作段階に移行しないように制御することを特徴とする請求項１または２に記載の機械式駐車場設備の安全確認システム。
【請求項４】
前記乗入室カメラは、前記乗入室内の異なる個所に複数台設置され、前記制御装置は、複数の前記乗入室カメラによる複数の前記画像情報を前記操作画面に表示して前記ユーザーに逐一確認させ、該ユーザーに前記安全確認ボタンを押させることを特徴とする請求項１から３のいずれかに記載の機械式駐車場設備の安全確認システム。
【請求項５】
前記センサは前記乗入室の内部の複数個所に設置され、これら複数のセンサのいずれかが前記乗入室内のエラー状況を検知した場合に、前記制御装置は、前記乗入室内に複数台設置された前記乗入室カメラのうち、前記センサの検知しているエラー状況を撮影可能な乗入室カメラを選択し、その画像情報を前記操作画面に表示することを特徴とする請求項４に記載の機械式駐車場設備の安全確認システム。
【請求項６】
前記制御装置は、前記安全確認ボタンと前記画像情報の表示中、および該安全確認ボタンが押された後に、前記センサが前記乗入室内のエラー状況を検知した場合には、以後の操作を無効にすることを特徴とする請求項１から４のいずれかに記載の機械式駐車場設備の安全確認システム。
【請求項７】
前記操作画面を操作する前記ユーザーの顔を撮影する操作者カメラをさらに備え、前記ユーザーの映像を操作日時と共に記録することを特徴とする請求項１から６のいずれかに記載の機械式駐車場設備の安全確認システム。
【請求項８】
前記乗入室の内部の、前記入出庫口付近を複数の検知ラインが横切るように前記センサを複数配置し、前記制御装置は、奥側から手前側の順に前記検知ラインが横切られることによって前記ユーザーが前記乗入室から退出したと判断することを特徴とする請求項１から７のいずれかに記載の機械式駐車場設備の安全確認システム。
【請求項９】
前記制御装置は、前記ユーザーが前記入出庫扉を閉じる操作を行う時に、前記操作画面に、前記画像情報と共に前記安全確認ボタンとして閉扉ボタンを表示させ、前記ユーザーに前記画像情報を見せながら前記閉扉ボタンを所定時間かけて長押しさせることにより、前記入出庫扉を閉じるように制御することを特徴とする請求項１から８のいずれかに記載の機械式駐車場設備の安全確認システム。
【請求項１０】
前記制御装置は、前記入出庫扉の閉扉動作中に、前記操作画面に、前記画像情報と共に前記安全確認ボタンとして扉反転ボタンを表示させ、該扉反転ボタンを前記ユーザーが押すと閉扉動作中の前記入出庫扉が開扉されるように制御することを特徴とする請求項１から９のいずれかに記載の機械式駐車場設備の安全確認システム。
【請求項１１】
請求項１から１０のいずれかに記載の安全確認システムを備えたことを特徴とする機械式駐車場設備。
【請求項１２】
駐車車両の入出庫が行われる乗入室と、
前記乗入室の入出庫口を開閉する入出庫扉と、
前記駐車車両を搬送する搬送機と、
前記駐車車両のユーザーが、認証操作および、前記入出庫扉の開閉、前記搬送機の起動といった機械操作を行うタッチパネル式の操作画面と、
を備えた機械式駐車場設備における、前記乗入室内部の安全確認を行うための安全確認方法であって、
前記ユーザーによる前記乗入室内部の安全確認時に、
前記操作画面に、
前記乗入室内の内部状況を撮影する乗入室カメラによるリアルタイムな画像情報と、
前記乗入室内の安全を確認したことを報知する安全確認ボタンと、
を表示するとともに、
前記ユーザーに、前記画像情報を見て前記乗入室内の安全確認を行った上で前記安全確認ボタンを押すことを促し、
前記安全確認ボタンを前記ユーザーが押したことを条件に、次の操作段階に移行することを特徴とする機械式駐車場設備の安全確認方法。
【請求項１３】
前記安全確認ボタンと前記画像情報の表示中、および該安全確認ボタンが押された後に、前記乗入室の内部に設置されて前記乗入室内のエラー状況を検知するセンサが前記乗入室内のエラー状況を検知した場合には、以後の操作を無効にすることを特徴とする請求項１２に記載の機械式駐車場設備の安全確認方法。
【発明の詳細な説明】
【技術分野】
【０００１】
本発明は、機械式駐車場設備に係り、特に車両の入庫時および出庫時に、該車両のユーザー（ドライバー）自身が操作盤を操作しながら乗入室の安全を確認するように構成された機械式駐車場設備の安全確認システム、これを備えた機械式駐車場設備、および機械式駐車場設備の安全確認方法に関するものである。
【背景技術】
【０００２】
オフィスビルやマンション等に併設されている機械式駐車場設備（立体駐車場等）では、契約したユーザーだけが使用するため、予め各ユーザーに暗証番号を付与したり、リモコン送信機を貸与したりしておき、各ユーザーが車両を入出庫させる際には、入出庫扉の外部に設置された操作盤や、マンションのロビー等に設けられた出庫予約盤等に暗証番号を入力するか、あるいはリモコン送信機から発信される認証情報（リモコン信号）を受信させることによってユーザー認証を行い、車体を搬送するパレット、リフト等の呼び出しと、入出庫扉の開閉操作を行わせている。
【０００３】
このような機械式駐車場設備において、駐車車両の入出庫が行われる乗入室の入出庫扉（入出庫口）を閉じる時には、ユーザーが乗入室の内部に人やペット等が居残っていないことを十分に確認しなければならない。しかし、操作盤は入出庫口から少し離れた位置に設けられているため、操作盤の前に居るユーザーが乗入室の内部を直視して安全を確認するのは面倒であり、しばしば十分な確認が行われないまま入出庫扉が閉じられてしまうことがあった。
【０００４】
そこで、特許文献１に開示されている機械式駐車場設備のように、乗入室内にカメラを設置し、このカメラで撮影した映像を画像処理して人の顔を判断し、乗入室内に入室した人の顔の特徴を記憶して各人ごとに識別し、全員が乗入室から退出したことを条件に、入出庫扉の閉扉といった機械起動を許可し、これによって安全確認を自動化し、ユーザーの目視による確認を省略可能にしている。
【０００５】
また、特許文献２に開示されている機械式駐車場設備は、乗入室内にカメラを設置し、その映像を、遠隔的に設けられた監視センターに送ることにより、監視センターにおいて乗入室内の状況を遠隔監視するとともに、ユーザーに安全のための指示を遠隔制御情報として送り、安全の確認を行っている。
【先行技術文献】
【特許文献】
【０００６】
【特許文献１】特開２０１２−１５８９６８号公報
【特許文献２】特開２０００−１８２１９５号公報
【発明の概要】
【発明が解決しようとする課題】
【０００７】
しかしながら、特許文献１，２のいずれの機械式駐車場設備も、カメラの画像はユーザー自身が確認するものではなく、制御装置、もしくは遠隔地に配置された管理者が確認するものであるために、カメラ等のシステム上の故障や、管理者のミス等が発生した場合には、確実な安全性を約束することができなかった。
【０００８】
また、操作盤の近傍にモニターを設置し、カメラで撮影された乗入室内の画像をモニターに表示することによってユーザー自身に乗入室の内部を確認させるようにした機械式駐車場設備もあるが、ユーザーは操作盤の操作に専念していてモニターを見ないことが多いため、カメラ画像を有効に利用して安全性を高めるには至らない。
【０００９】
本発明は、上記の課題を解決するためになされたものであり、乗入室内に設置されたカメラの画像をユーザーに確実に確認させ、乗入室の内部に人やペット等が居残ることを防止して安全性を高めることができる機械式駐車場設備の安全確認システム、これを備えた機械式駐車場設備、および機械式駐車場設備の安全確認方法を提供することを目的とする。
【課題を解決するための手段】
【００１０】
上記目的を達成するために、本発明は、以下の手段を提供する。
即ち、本発明の第一態様に係る機械式駐車場設備の安全確認システムは、駐車車両の入出庫が行われる乗入室と、前記乗入室の入出庫口を開閉する入出庫扉と、前記駐車車両を搬送する搬送機と、前記駐車車両のユーザーが、認証操作および、前記入出庫扉の開閉、起動といった機械操作を行うタッチパネル式の操作画面と、を備えた機械式駐車場設備における、前記乗入室内部の安全確認を行うシステムであって、前記操作画面と、前記乗入室の内部における前記駐車車両および人等の存在や前記駐車車両の停車位置等を検知するセンサと、前記乗入室の内部状況を撮影する乗入室カメラと、制御装置と、を具備し、前記制御装置は、前記操作画面に、前記乗入室カメラによって撮影されたリアルタイムな画像情報と、前記ユーザーが前記乗入室内の安全を確認したことを報知する安全確認ボタンと、を併せて表示させることを特徴とする。
【００１１】
上記構成の機械式駐車場設備の安全確認システムによれば、ユーザーが操作するタッチパネル式の操作画面に、乗入室内の画像情報が表示されるため、この画像情報をユーザーが確実に見て乗入室内の安全を確認することができる。したがって、乗入室内に人やペット等が居残ることを防止して機械式駐車場設備の安全性を高めることができる。
【００１２】
また、上記構成に加えて、前記制御装置には、前記操作画面に、前記画像情報および前記安全確認ボタンと共に、前記センサのリアルタイムな検知情報を併せて表示させるのが好ましい。
【００１３】
これにより、ユーザーは、安全確認ボタンを操作する際に、乗入室の画像情報と共に、センサの検知情報を確認することができる。したがって、乗入室の画像情報のみでは判別し難いエラー状況でも認識することができ、その対処も容易になり、より安全性を高めることができる。
【００１４】
さらに、上記構成に加えて、前記ユーザーによる前記乗入室内部の安全確認時に、前記制御装置には、前記センサが前記乗入室内のエラー状況を検知していないことを条件に、前記操作画面に前記画像情報と共に前記安全確認ボタンを表示させ、該安全確認ボタンが押されない限り、次の操作段階に移行しないように制御させるのが好ましい。
【００１５】
これにより、ユーザーは、操作画面に表示された乗入室内の画像情報を確認して安全確認ボタンを押すまで次の操作段階に進めなくなるため、ユーザーに乗入室内の安全確認を確実に実行させ、より安全性を高めることができる。
【００１６】
また、上記構成に加えて、前記乗入室カメラを、前記乗入室内の異なる個所に複数台設置し、前記制御装置には、複数の前記乗入室カメラによる複数の前記画像情報を前記操作画面に表示して前記ユーザーに逐一確認させ、該ユーザーに前記安全確認ボタンを押させるのが好ましい。
【００１７】
このように、乗入室カメラを乗入室内に複数台設置し、これら各乗入室カメラが撮影した画像情報を操作画面に表示させてユーザーに逐一確認させてから安全確認ボタンを押させることにより、乗入室内の死角を無くし、安全性をより向上させることができる。
【００１８】
さらに、上記構成に加えて、前記センサを前記乗入室の内部の複数個所に設置し、これら複数のセンサのいずれかが前記乗入室内のエラー状況を検知した場合に、前記制御装置に、前記乗入室内に複数台設置された前記乗入室カメラのうち、前記センサの検知しているエラー状況を撮影可能な乗入室カメラを選択させ、その画像情報を前記操作画面に表示させるようにしてもよい。
【００１９】
このように、乗入室内の複数個所に設置されたセンサのいずれかが乗入室内のエラー状況を検知した場合に、当該センサの検知しているエラー状況を撮影可能な乗入室カメラが選択され、その画像情報が操作画面に表示されるので、操作画面を操作するユーザーに、乗入室の内部におけるエラー状況を確実に認識させて安全性を高めることができる。
【００２０】
また、上記構成に加えて、前記制御装置には、前記安全確認ボタンと前記画像情報の表示中、および該安全確認ボタンが押された後に、前記センサが前記乗入室内のエラー状況を検知した場合には、以後の操作を無効にさせるようにしてもよい。
【００２１】
こうすれば、ユーザーによる安全確認よりも、センサによるエラー状況の検知が優先され、以後の操作が無効になるため、エラー状況の確認および修復が行われないまま機械式駐車場設備が起動してしまうようなことを防止し、より安全性を高めることができる。
【００２２】
さらに、上記構成に加えて、前記操作画面を操作する前記ユーザーの顔を撮影する操作者カメラをさらに備え、前記ユーザーの映像を操作日時と共に記録するようにしてもよい。
【００２３】
このように、操作画面を操作するユーザーの顔と操作日時を記録しておくことで、万一事故や故障等が起きた時の検証を容易にすることができる。また、ユーザーは自身が撮影されていることを認識するため、馴れ合い的な操作（代理操作等）を自粛させる効果がある。
【００２４】
また、上記構成に加えて、前記乗入室の内部の、前記入出庫口付近を複数の検知ラインが横切るように前記センサを複数配置し、前記制御装置には、奥側から手前側の順に前記検知ラインが横切られることによって前記ユーザーが前記乗入室から退出したと判断させるようにしてもよい。
【００２５】
こうすることにより、ユーザーが乗入室から退出したことをセンサで確実に検知することができ、安全性を高めることができる。
【００２６】
さらに、上記構成に加えて、前記制御装置には、前記ユーザーが前記入出庫扉を閉じる操作を行う時に、前記操作画面に前記画像情報と共に前記安全確認ボタンとして閉扉ボタンを表示させ、前記ユーザーに前記画像情報を見せながら前記閉扉ボタンを所定時間かけて長押しさせることにより、前記入出庫扉を閉じるように制御させてもよい。
【００２７】
このように、閉扉ボタンを所定時間（例えば１秒間）かけて長押ししないと入出庫扉が閉まらないため、ユーザーが操作画面を確認せずにうっかり閉扉ボタンに触れて押してしまうことを防止し、安全確認を確実に行わせて危険を回避することができる。
【００２８】
さらに、上記構成に加えて、前記制御装置には、前記入出庫扉の閉扉動作中に、前記操作画面に、前記画像情報と共に前記安全確認ボタンとして扉反転ボタンを表示させ、該扉反転ボタンを前記ユーザーが押すと閉扉動作中の前記入出庫扉が開扉されるように制御させてもよい。
【００２９】
このように、入出庫扉の閉扉動作中であっても、操作画面に乗入室内の画像と共に扉反転ボタンが表示され、この扉反転ボタンを押せば、閉扉動作中の入出庫扉を反転（再開扉）させることができる。このため、ユーザーが閉扉ボタンを押して入出庫扉が閉じ始めてからであっても、操作画面に乗入室内のエラー状況が表示された場合には、ユーザーが扉反転ボタンを押せば入出庫扉が開き、危険を回避することができる。
【００３０】
また、本発明の第二態様に係る機械式駐車場設備は、前記のいずれかの安全確認システムを備えたことを特徴とする。
【００３１】
この機械式駐車場設備によれば、乗入室内に設置された乗入室カメラの画像をユーザーに確実に確認させながら、ユーザーに操作画面を操作させることができるので、乗入室の内部に人やペット等が居残っていたり、駐車車両のドアが開いていたりするといったエラー状況をユーザー自身が操作画面上で確認することができ、危険を回避して安全性を高めることができる。
【００３２】
また、本発明の第三態様に係る機械式駐車場設備の安全確認方法は、駐車車両の入出庫が行われる乗入室と、前記乗入室の入出庫口を開閉する入出庫扉と、前記駐車車両を搬送する搬送機と、前記駐車車両のユーザーが、認証操作および、前記入出庫扉の開閉、前記搬送機の起動といった機械操作を行うタッチパネル式の操作画面と、を備えた機械式駐車場設備における、前記乗入室内部の安全確認を行うための方法であって、前記ユーザーによる前記乗入室内部の安全確認時に、前記操作画面に、前記乗入室内の内部状況を撮影する乗入室カメラによるリアルタイムな画像情報と、前記乗入室内の安全を確認したことを報知する安全確認ボタンと、を表示するとともに、前記ユーザーに、前記画像情報を見て前記乗入室内の安全確認を行った上で前記安全確認ボタンを押すことを促し、前記安全確認ボタンを前記ユーザーが押したことを条件に、次の操作段階に移行することを特徴とする。
【００３３】
上記の安全確認方法によれば、ユーザーが操作するタッチパネル式の操作画面に、乗入室内の画像情報が表示されるため、この画像情報をユーザーが確実に見て乗入室内の安全を確認することができる。したがって、乗入室内に人やペット等が居残ることを防止して機械式駐車場設備の安全性を高めることができる。
【００３４】
上記の安全確認方法において、前記安全確認ボタンと前記画像情報の表示中、および該安全確認ボタンが押された後に、前記乗入室の内部に設置されて前記乗入室内のエラー状況を検知するセンサが前記乗入室内のエラー状況を検知した場合には、以後の操作を無効にするようにしてもよい。
【００３５】
こうすれば、ユーザーによる安全確認よりも、センサによるエラー状況の検知が優先され、以後の操作が無効になるため、エラー状況の確認および修復が行われないまま機械式駐車場設備が起動してしまうことを防止し、より安全性を高めることができる。
【発明の効果】
【００３６】
以上のように、本発明に係る機械式駐車場設備の安全確認システム、これを備えた機械式駐車場設備、および機械式駐車場設備の安全確認方法によれば、乗入室内に設置されたカメラの画像をユーザーに確実に確認させ、乗入室の内部に人やペット等が居残ることを防止して安全性を高めることができる。
【図面の簡単な説明】
【００３７】
【図１】本発明に係る安全確認システムを適用可能な機械式駐車場設備の一例を示す縦断面図である。
【図２】乗入室を示す斜視透視図である。
【図３】（ａ）は乗入室における各センサの配置図であり、（ｂ）は各センサの機能を示す一覧表である。
【図４】操作盤の斜視図である。
【図５】機械式駐車場設備の制御系統の概略構成を示すブロック図である。
【図６】操作画面の第１の認証画面を示す図である。
【図７】乗入室内の無人をユーザーに確認させる画面を示す図である。
【図８】乗入室内の無人をユーザーに確認させる画面を示す図である。
【図９】乗入室内の無人をユーザーに確認させる画面を示す図である。
【図１０】乗入室内の無人をユーザーに確認させる画面を示す図である。
【図１１】ユーザーに入庫の意思を問う画面を示す図である。
【図１２】空きパレット搬送中における画面を示す図である。
【図１３】ユーザーに入庫を案内する画面を示す図である。
【図１４】ユーザーに停車位置を案内する画面を示す図である。
【図１５】ユーザーに停車位置を案内する画面を示す図である。
【図１６】乗入室内にエラー状況が発生した時の画面を示す図である。
【図１７】乗入室内にエラー状況が発生した時の画面を示す図である。
【図１８】乗入室内にエラー状況が発生した時の画面を示す図である。
【図１９】操作画面の第２の認証画面を示す図である。
【図２０】乗入室内の無人をユーザーに確認させる画面を示す図である。
【図２１】乗入室内の無人をユーザーに確認させる画面を示す図である。
【図２２】乗入室内の無人をユーザーに確認させる画面を示す図である。
【図２３】乗入室内の無人をユーザーに確認させる画面を示す図である。
【図２４】入出庫扉を閉める時にユーザーに安全確認をさせる画面を示す図である。
【図２５】入出庫扉を閉める時にユーザーに安全確認をさせる画面を示す図である。
【図２６】入出庫扉を閉める時にユーザーに安全確認をさせる画面を示す図である。
【図２７】入出庫扉を閉める時にユーザーに安全確認をさせる画面を示す図である。
【図２８】入出庫扉が閉じられている時の画面を示す図である。
【図２９】入出庫扉が閉じられている時の画面を示す図である。
【図３０】入出庫扉が閉じられている時の画面を示す図である。
【図３１】入出庫扉が閉じられている時の画面を示す図である。
【図３２】入出庫扉が閉じられた後の画面を示す図である。
【図３３】安全確認操作の時における制御の流れ（制御方法）を示すフローチャートである。
【図３４】場内有人信号がＯＮになる状態を示す図である。
【図３５】場内有人信号がＯＦＦになる状態を示す図である。
【発明を実施するための形態】
【００３８】
以下に、本発明の実施形態について、図面を参照しながら説明する。
【００３９】
図１は、本発明に係る安全確認システムを適用可能な機械式駐車場設備の一例を示すエレベータ式の機械式駐車場設備の縦断面図である。なお、本発明に係る安全確認システムは、複数の駐車スペースに搬送機で駐車車両を入出庫させる機械式駐車場設備であれば幅広く適用できるものであって、以下の説明にあるエレベータ式の立体駐車場のみに限定されるものではない。
【００４０】
機械式駐車場設備１は、複数の車両２を収容可能なエレベータ式のタワー型立体駐車場施設であり、入出庫口３と入出庫扉４とが設けられた駐車塔５を備えている。駐車塔５の地上階は、車両２を入出庫させる乗入室７となっており、その床面には車両２の方向を転換させるターンテーブル８が設置されている。ターンテーブル８は、乗入室７の床面に形成された凹状のピット９内に旋回板１０と旋回駆動部１１が設けられた構成である。
【００４１】
駐車塔５の中心部には垂直な昇降通路１３が形成されており、この中にリフト１４（エレベータ状の搬送機）が上下に昇降可能に設けられている。リフト１４は、例えば駐車塔５の上部に設けられた図示しないウインチから下方に延びる複数本のワイヤロープ１５に四隅を吊持され、上記ウインチが起動することにより昇降通路１３内を上下に昇降することができる。
【００４２】
一方、昇降通路１３の両側には車両格納棚１７（駐車スペース）が設けられている。この車両格納棚１７は、昇降通路１３を挟むようにして上下に多階層状に設けられており、それぞれの車両格納棚１７には車両を積載するためのパレット１８が１枚ずつ収容されている。なお、車両格納棚１７の支柱等は図示が省略されている。
【００４３】
リフト１４と車両格納棚１７の床面には、リフト１４と車両格納棚１７との床面の高さが一致した時に、空荷のパレット１８、または車両２が積載されたパレット１８を、リフト１４から車両格納棚１７に、または車両格納棚１７からリフト１４に、スムーズに受け渡すことができる図示しない受渡機構が設けられている。
【００４４】
図２は、乗入室７を示す斜視透視図である。外側から見て、入出庫扉４の左側に非常用出入口２０があり、入出庫扉４の上部に青と赤のランプを備えた入庫管制灯２１が設けられている。また、例えば入出庫扉４に向かって右側に操作盤２２が設けられている。この操作盤２２は、この機械式駐車場設備１に入庫する各車両２のユーザー（ドライバー）により操作される。符号２３は、機械式駐車場設備１の制御状態を示す三色灯である。
【００４５】
乗入室７の内部には、中央部にパレット１８が配置されるスペースがあり、入出庫扉４の正面の壁には車両の位置をドライバーが確認するための鏡２４と、「前進」、「停車」、「後退」の案内を行う電光式の停車位置指示灯２５が設けられている。
【００４６】
また、乗入室７の内部各所には、乗入室７の内部における車両２および人等の存在や、車両２の大きさ、停車位置等を検知するための複数のセンサ３０が設けられている（図２中には全てのセンサを符号３０で簡略的に表示してある）。停車位置指示灯２５は、各センサ３０により検知される車両位置のデータに基づいて、車両のドライバーに車両位置の案内を行う。
【００４７】
図３（ａ）は、乗入室７における各センサ３０（３０１〜３２０）の配置図であり、図３（ｂ）は、各センサ３０１〜３２０の機能を示す一覧表である。これらのセンサは、それぞれ２個一組となって対向しており、その間に赤外線ビーム３０ａが配光され、この赤外線ビームが車両２や人等によって遮光されるとセンサがＯＮになり、その検知信号が後述する入出庫監視制御部５７を経て制御装置４０に伝達されるようになっている。
【００４８】
さらに、乗入室７の内部状況を撮影する、例えば４基の乗入室カメラ３５Ａ〜３５Ｄが設置されている。これらの乗入室カメラ３５Ａ〜３５Ｄは、それぞれ乗入室７の異なる壁面（４面）に取り付けられており、乗入室カメラ３５Ａは乗入室７内に停車した車両２の正面を撮影し、乗入室カメラ３５Ｂは車両２の後面、乗入室カメラ３５Ｃは車両２の左側面、乗入室カメラ３５Ｄは車両２の右側面をそれぞれ撮影する。
【００４９】
また、乗入室７の内部、あるいは乗入室７の外部に、この機械式駐車場設備１の全体の制御を行う制御装置４０が設置されている。制御装置４０は、リフト１４による一連の入出庫操作を実行する装置であり、後述するように、操作盤２２と情報をやり取りしながら入出庫操作を実行する。
【００５０】
図４は、操作盤２２の斜視図である。操作盤２２は、風雨からの保護と悪戯防止のために金属製の筐体４３に収容されており、この筐体４３には施錠可能な蓋４４が設けられている。ユーザーが操作盤２２を操作する際には、施錠を解錠して蓋４４を開き、操作盤２２にアクセスする。なお、例えばユーザーが携帯している専用リモコンに設けられたトランスポンダによってユーザーの接近とともに自動的に蓋の施錠を解錠するようにしてもよい。
【００５１】
操作盤２２は、ユーザーが認証操作および入出庫扉４の開閉、リフト１４の起動といった機械操作を行うためのタッチパネル式の操作画面４５と、ＩＣカードやリモコン等の携帯認証媒体から発信されるトランスポンダ信号等を読み込むためのリーダー４６と、ユーザーに操作方法を音声で案内するためのスピーカー４７と、非常停止ボタン４８等が配置されたシンプルな構成である。
【００５２】
操作画面４５には、操作ガイド等の表示部４５ａと、テンキー等の入力部４５ｂとが表示される。これらの表示は、必ずしも操作画面４５の特定の区画に表示されるものではなく、操作画面４５全体が表示部４５ａになったり、入力部４５ｂになったりすることもある。
【００５３】
さらに、操作盤２２の筐体の内部には操作者カメラ４９が設置されている。この操作者カメラ４９は、操作画面４５を操作するユーザーの顔を撮影するカメラであり、撮影されたユーザーの映像は、操作日時と共に記録されるようになっている。操作盤２２の付近には、この操作者カメラ４９による操作者の撮影が行われていることを表示しておけば、ユーザーによる安全確認等の作業が馴れ合い的なものになることや、部外者による悪戯（悪用）等を有効に防止できること等が期待できる。
【００５４】
図５は、この機械式駐車場設備１の制御系統の概略構成を示すブロック図である。制御装置４０には操作盤２２が接続されている。操作盤２２のタッチパネル式の操作画面４５は、前述の通り表示部４５ａと入力部４５ｂとを備えており、ユーザーが操作画面４５から入力する各種の情報が制御装置４０に伝達され、制御装置４０から送られる各種の情報が操作画面４５に表示される。
【００５５】
制御装置４０には、機械制御・認証制御・画面表示／スクロール処理・入力情報処理・安全確認処理等を行う情報処理部５１が内蔵されるとともに、総合データベース５２が接続されている。総合データベース５２は、在車状況、パレット形状種別、車両格納棚形状種別、充電車両の有無、充電状態、パレット毎ＥＶ充電データ等のデータが蓄積される。
【００５６】
また、制御装置４０には、ＥＶ充電制御部５４、入出庫扉制御部５５、搬送機制御部５６、入出庫監視制御部５７、カメラ制御部５８、画像データベース５９、車重計測・制御部６１、旋回駆動部制御部６２等の各制御部が接続されている。
【００５７】
ＥＶ充電制御部５４は、制御装置４０から充電指令を受けて充電装置６５を作動させ、充電電流計６６から得られる電流値により充電制御し、ＥＶ充電状態蓄積情報を制御装置４０にフィードバックする。
【００５８】
入出庫扉制御部５５は、制御装置４０から動作指令を受けて入出庫扉４を開閉操作し、入出庫扉センサ６７から入出庫扉４の位置信号を受けて、その情報を制御装置４０にフィードバックする。
【００５９】
搬送機制御部５６は、制御装置４０から動作指令を受けてリフト１４（搬送機）の昇降およびパレット１８の積み下ろし動作を実行させ、搬送機位置センサ６８からリフト１４の位置信号を受けて、その情報を制御装置４０にフィードバックする。
【００６０】
入出庫監視制御部５７は、制御装置４０から動作指令を受けて、乗入室７の内部に設置された多数のセンサ３０（３０１〜３２０）から、乗入室７における車両および人の有無や位置等の情報を受信し、その情報を制御装置４０にフィードバックする。
【００６１】
カメラ制御部５８は、制御装置４０から動作指令を受けて、乗入室７の内部に設置された複数の乗入室カメラ３５Ａ〜３５Ｄおよび操作者カメラ４９に画像を撮影させ、その画像情報を制御装置４０にフィードバックする。この画像情報は画像データベース５９に所定の期間蓄積される。なお、画像データベース５９を総合データベース５２の内部に設けたり、クラウド上に設けたりする等してもよい。
【００６２】
車重計測・制御部６１は、制御装置４０から動作指令を受けて、車両計測器６９により、リフト１４に搭載された車両の車重を計測し、車重センサ７０を介してその情報を制御装置４０にフィードバックする。この車重情報は、リフト１４の制御等に用いられる。
【００６３】
旋回駆動部制御部６２は、制御装置４０から動作指令を受けて、旋回駆動部１１（ターンテーブル８）を動作させ、ターンテーブル位置センサ７１によりターンテーブル８の旋回位置信号を受けて、その情報を制御装置４０にフィードバックする。
【００６４】
制御装置４０は、各制御部５４，５５，５６，５７，５８，６１，６２からのフィードバックを受けて機械式駐車場設備１を運行させるとともに、本発明に係る安全確認システムＳＣＳの制御を行う。
【００６５】
安全確認システムＳＣＳは、ユーザーに乗入室７の内部の安全確認を行わせるシステムであり、操作盤２２の操作画面４５と、乗入室７内に設置されたセンサ３０（３０１〜３２０）と、同じく乗入室７内に設置された４基の乗入室カメラ３５Ａ〜３５Ｄと、制御装置４０とを具備して構成されている。
【００６６】
この安全確認システムＳＣＳにおいて、制御装置４０は、ユーザーが乗入室７の内部の安全確認を行うタイミングにおいて、例えば図７〜図１０、図１６〜図１８、図２０〜図３２等に示すように、乗入室カメラ３５Ａ〜３５Ｄによって撮影された乗入室７内部のリアルタイムな画像情報ＣＩと、センサ３０（３０１〜３２０）のリアルタイムな検知情報ＤＩ（図１６〜図１８参照）と、乗入室７内の安全を確認したことを報知する安全確認ボタン（例：無人確認ボタンＳＢ１）とを、操作盤２２の操作画面４５に併せて表示し、ユーザーに乗入室７内の画像情報ＣＩやセンサの検知情報ＤＩを確認させて安全確認ボタンを押させる。
【００６７】
［入庫操作］
このように構成された機械式駐車場設備１において、車両２を入庫させる操作の流れを説明する。
【００６８】
まず、車両２のユーザー（ドライバー）は、車両２を入出庫口３の前に停車させ、パーキングブレーキを掛けて降車し、同乗者やペット等を降車させてから操作盤２２に向かう。そして、専用の鍵で施錠を解錠するか、専用リモコンのトランスポンダによって自動解錠させて筐体４３の蓋４４を開ける。この時点で操作盤２２の操作画面４５に、図６に示す第１の認証画面が表示され、乗入室７内の場内灯が点灯する。
【００６９】
操作画面４５は、前述のように表示部４５ａと入力部４５ｂとを有しており、図６に示す第１の認証画面においては、表示部４５ａには表示がなされず、入力部４５ｂにはテンキー８１と、暗証番号を入力する案内とが表示される。この案内や、後述する他の案内（指示等）は、全て図４に示すスピーカー４７からも音声で伝えられる。この案内に従ってユーザーがテンキー８１で自身の暗証番号を入力すると第１の認証が成立し、操作画面４５は図７に示す画面に切り替わる。この画面の表示部４５ａには、認証を終えたユーザーの契約番号や、呼出、入庫、確認、扉閉といった各動作の進行状況が表示される。
【００７０】
図７〜図１０に示すように、操作画面４５（入力部４５ｂ）には、機械式駐車場設備１を起動させる前に、乗入室７の内部が確実に無人状態であることをユーザーに確認させるための確認画面が表示される（１回目の安全確認操作）。即ち、制御装置４０が、乗入室７内に設置された４基の乗入室カメラ３５Ａ〜３５Ｄによる乗入室７内のリアルタイムな画像情報ＣＩと共に、無人確認ボタンＳＢ１（安全確認ボタン）を操作画面４５（入力部４５ｂ）に表示させる。乗入室カメラ３５Ａ〜３５Ｄによる画像には、それぞれ「正面」（図７）、「後面」（図８）、「左側面」（図９）、「右側面」（図１０）と表示される。
【００７１】
ユーザーは、所定時間内に、これらの画像情報ＣＩを逐一確認し、異常がなければ無人確認ボタンＳＢ１を押してゆく。操作画面４５における表示の切り替えは、無人確認ボタンＳＢ１が押される都度、画面が図７→図８→図９→図１０の表示に切り替わるようにしてもよいし、図７から図１０まで一通りユーザーに見せてから無人確認ボタンＳＢ１を一度押させるようにしてもよい。なお、乗入室７が空室状態で見通しが良いことから、４基の乗入室カメラ３５Ａ〜３５Ｄのうちの１台のみで乗入室７内の全体を撮影し、画像の切り替えを行わずにユーザーに確認させるようにしてもよい。要するに、ユーザーが操作する操作画面４５に、乗入室７内のリアルタイムな画像情報ＣＩと無人確認ボタンＳＢ１とを表示し、これをユーザー自身に確認させて無人確認ボタンＳＢ１を押させることがポイントである。この確認作業時には操作者カメラ４９によってユーザーの顔や手元等が記録される。
【００７２】
このように、操作画面４５に乗入室７内の画像情報ＣＩと無人確認ボタンＳＢ１の表示が行われるのは、乗入室７内の多数のセンサ３０（３０１〜３２０）が、いずれも乗入室７内におけるエラー状況を検知していないことが前提条件となる。ここで言うエラー状況とは、例えば乗入室７内に人や障害物等がある時等であり、そのまま機械を起動させると危険な状況を意味する。
【００７３】
乗入室７の内部が確実に無人であり、安全であることがユーザーによる無人確認ボタンＳＢ１の押圧によって確定すると、１回目の安全確認操作が完了し、操作画面４５の表示が図１１の表示に切り替わる。また、所定の時間（例えば１分間）の間に各画面の無人確認ボタンＳＢ１が押されない場合には、図６に示す第１の認証画面（図６参照）に戻るようになっている。つまり、この安全確認システムＳＣＳは、ユーザーによって所定時間内に無人確認ボタンＳＢ１が押されない限り、次の操作段階には移行しないように制御されている。
【００７４】
図１１に示す次の画面では、ユーザーに入庫の意思が問われ、ユーザーは、「はい」のボタンＹＢ、または「いいえ」のボタンＮＢを選択して押す。「いいえ」のボタンＮＢが押された場合には画面表示が第１の認証画面（図６参照）に回帰する。
【００７５】
「はい」のボタンＹＢが押されると、空きパレット１８の搬送（呼出）が開始される。即ち、図１に示すように、車両２が格納されていない車両格納棚１７から空きパレット１８がリフト１４に取り出されて昇降通路１３沿いに下方に降ろされ、ターンテーブル８（旋回板１０）の上に載置される。その後、このパレット１８はターンテーブル８によって９０度方向転換されて入出庫口３に向けられる。
【００７６】
この間の操作画面４５の表示は図１２に示すものとなる。表示部４５ａには、空きパレット１８が乗入室７に到着するまでの時間がカウントダウン形式で示される。なお、この時には、例えば入力部４５ｂに乗入室７内のリアルタイムな画像を表示しておいてもよい。これにより、ユーザーが待ち時間を苦痛に感じることを幾分和らげることができる。
【００７７】
乗入室７に空きパレット１８が到着すると、図１３に示すように、操作画面４５に「入庫してください」という案内が表示され、入出庫扉４が自動的に開かれる。これに従い、ユーザーは車両２を運転して入出庫口３から乗入室７内にゆっくり進入し、ターンテーブル８の上に載置された空きパレット１８の上に車両２を乗り上げて前進させる。そして、乗入室７内の正面に設けられた停車位置指示灯２５の表示が「前進」から「停車」に切り替わったら停車させてパーキングブレーキを掛け、窓やドアを確実に閉じて施錠し、ドアミラーを畳み、アンテナ等を収容してから降車し、乗入室７から退出する。
【００７８】
このように車両２が入出庫口３から乗入室７内に進入すると、例えば図３に示す入出庫口非常停止センサ３０５や、車両確認センサ（在荷センサ）３０３等が発する赤外線ビーム３０ａが遮光されることによって車両２の進入が検知され、操作画面４５の表示が図１４、図１５に示すように停車位置を案内するものに切り替わる。この図１４、図１５に示される案内表示は、停車位置指示灯２５の表示と同様である。これらの画面や停車位置指示灯２５の表示は、図３に示す車両前部センサ３０１，車両後部センサ３０２等が発する赤外線ビーム３０ａが車両２の前後端部によって遮光されたり、通光されたりすることにより、パレット１８に対する車両２の前後位置が検出されて行われる。
【００７９】
パレット１８上における車両２にエラー状況が発生している場合（発生した場合）には、乗入室７内部の複数個所に設置されているセンサ３０（３０１〜３２０）のいずれかが乗入室７内のエラー状況を検知する。この時、制御装置４０は、乗入室７内に４基設置された乗入室カメラ３５Ａ〜３５Ｄのうち、センサ３０（３０１〜３２０）の検知しているエラー状況を最も良好に撮影可能な乗入室カメラを３５Ａ〜３５Ｄの中から選択し、その画像情報ＣＩを操作画面４５に表示する。これは、１回目の安全確認操作の最中においても同様である。
【００８０】
同時に、制御装置４０は、図１６〜図１８に示すように、操作画面４５に、画像情報ＣＩと共に、センサ３０（３０１〜３２０）のリアルタイムな検知情報ＤＩを併せて表示する。
【００８１】
例えば、乗入室７内に入庫して停車した車両２の前部が、図３に示す車両前部センサ３０１の赤外線ビーム３０ａを遮光してエラーになっている場合には、図１６に示すように、車両２の正面を撮影可能な乗入室カメラ３５Ａにより撮影された画像情報ＣＩが選択されて操作画面４５に表示されるとともに、車両２の画像の前頭部を横切るようにバー状のアニメーションＤＩ（検知情報）が表示される。このアニメーションＤＩは点滅する等して目立つように表示される。このアニメーションＤＩが表示されることにより、操作画面４５を見ているユーザーは、車両２の停車位置が前過ぎたことを素早く認識して修正することができる。
【００８２】
また、例えば車両２の右側のドアが開いていて、このドアが、図３に示すドア開検出（上）（右）センサ３１７Ｂの赤外線ビーム３０ａを遮光してエラーになっている場合には、図１７に示すように、車両２の右側面を撮影可能な乗入室カメラ３５Ｄにより撮影された画像情報ＣＩが選択されて操作画面４５に表示されるとともに、車両２の画像の右側面部に沿うようにバー状のアニメーションＤＩが表示される。これにより、ユーザーは、車両２の右側のドアが開いていることを素早く認識してすぐに閉じに行くことができる。
【００８３】
さらに、例えば車両２がミッドルーフ車、もしくはハイルーフ車であって、その全高が高く、車体の前頭部が、図３に示すミッドルーフ車角切（前）センサ３０９や、ハイルーフ車角切（前）センサ３１１の赤外線ビーム３０ａを遮光してエラーになっている場合には、図１８に示すように、車両２の左側面を撮影可能な乗入室カメラ３５Ｃ、または右側面を撮影可能な乗入室カメラ３５Ｄにより撮影された画像情報ＣＩが選択されて操作画面４５に表示されるとともに、車体前頭部に該当する箇所に、実際の角切センサと相似した形状の斜めバー状のアニメーションＤＩが表示される。これにより、ユーザーは、当該車両２を駐車させるのが不可能なことがわかり、車両２を乗入室７から搬出する。
【００８４】
このように、制御装置４０は、無人確認ボタンＳＢ１と画像情報ＣＩの表示中、および無人確認ボタンＳＢ１が押された後に、センサ３０（３０１〜３２０）が乗入室７内のエラー状況を検知した場合には、以後の操作を無効にする。そして、操作画面４５における表示や、スピーカー４７からの音声により、ユーザーに乗入室７内の確認が必要である旨を報知する。
【００８５】
パレット１８上における車両２にエラー状況が発生していなければ、操作画面４５に、図１９に示す第２の認証画面が表示され、入力部４５ｂにテンキー８１と、暗証番号を入力する案内とが表示されるので、ユーザーは再度、自身の認証番号をテンキー８１にて入力する。このように第２の認証が行われる目的は、例えばユーザーが乗入室７内に居る間に次のユーザーが来場し、乗入室７内に前のユーザーが居ることを認識しないで入出庫扉４を閉じてしまうことを確実に防止して安全性を高めるためである。
【００８６】
案内に従ってユーザーがテンキー８１で自身の暗証番号を入力すると、第２の認証が成立し、操作画面４５は図２０に示す画面に切り替わる。図２０〜図２３に示すように、操作画面４５（入力部４５ｂ）には、入出庫扉４を閉じる前に、乗入室７の内部が確実に無人状態であることを再度ユーザーに確認させるための確認画面が表示される（２回目の安全確認操作）。
【００８７】
即ち、１回目の安全確認操作（図７〜図１０参照）と同様に、制御装置４０が、乗入室７内に設置された４基の乗入室カメラ３５Ａ〜３５Ｄによる乗入室７内のリアルタイムな画像情報ＣＩと共に、無人確認ボタンＳＢ２（安全確認ボタン）を操作画面４５（入力部４５ｂ）に表示させる。乗入室カメラ３５Ａ〜３５Ｄによる画像には、それぞれ「正面」（図２０）、「後面」（図２１）、「左側面」（図２２）、「右側面」（図２３）と表示される。
【００８８】
ユーザーは、この画像情報ＣＩを逐一確認し、異常がなければ無人確認ボタンＳＢ２を押す。操作画面４５における表示順序は、無人確認ボタンＳＢ２が押される都度、画面が図２０→図２１→図２２→図２３の表示に切り替わるようにしてもよいし、図２０から図２３まで一通りユーザーに見せてから無人確認ボタンＳＢ２を一度押させるようにしてもよい。ポイントは、ユーザーが操作する操作画面４５に、乗入室７内のリアルタイムな画像情報ＣＩと無人確認ボタンＳＢ２とを表示し、これをユーザー自身に確認させて無人確認ボタンＳＢ２を押させることにある。なお、この確認作業時にも操作者カメラ４９によってユーザーの顔や手元等が記録される。
【００８９】
このように、操作画面４５に乗入室７内の画像情報ＣＩと無人確認ボタンＳＢ２の表示が行われるのは、１回目の安全確認操作の時と同じく、乗入室７内の多数のセンサ３０（３０１〜３２０）が、いずれも乗入室７内におけるエラー状況を検知していないことが前提条件となる。
【００９０】
乗入室７の内部に車両２以外の物や人等が確実に無く、安全であることがユーザーによる無人確認ボタンＳＢ２の押圧によって確定すると、２回目の安全確認操作が完了し、操作画面４５の表示が図２４の表示に切り替わる。また、所定の時間（例えば１分間）の間に各画面の無人確認ボタンＳＢ２が押されない場合や、センサ３０（３０１〜３２０）が異常を検知した場合には、図１６〜図１８に示すエラー状況検知時の画像に回帰するようになっている。
【００９１】
図２４〜図２７の画像では、入出庫扉４を閉じる前の３回目の安全確認操作が行われる。１回目、２回目の安全確認操作と同様に、乗入室７内に設置された４基の乗入室カメラ３５Ａ〜３５Ｄによる乗入室７内のリアルタイムな画像情報ＣＩと共に、閉扉ボタンＳＢ３（安全確認ボタン）が操作画面４５（入力部４５ｂ）に表示される。乗入室カメラ３５Ａ〜３５Ｄによる画像には、それぞれ「正面」（図２４）、「後面」（図２５）、「左側面」（図２６）、「右側面」（図２７）と表示される。
【００９２】
ユーザーは、この画像情報ＣＩを逐一確認し、異常がなければ閉扉ボタンＳＢ３を押す。操作画面４５における表示順序は、閉扉ボタンＳＢ３が押される都度、画面が図２４→図２５→図２６→図２７の表示に切り替わるようにしてもよいし、図２４から図２７まで一通りユーザーに見せてから閉扉ボタンＳＢ３を一度押させるようにしてもよい。この確認作業時には操作者カメラ４９によってユーザーの顔や手元等が記録される。
【００９３】
閉扉ボタンＳＢ３を押して入出庫扉４を閉じる際には、閉扉ボタンＳＢ３を所定時間かけて長押しさせるのが好ましい（例えば１秒間）。これにより、ユーザーが操作画面４５を確認せずにうっかり閉扉ボタンＳＢ３に触れて押してしまうことを防止することができる。
【００９４】
乗入室７の内部に車両２以外の物や人等が確実に無く、安全であることがユーザーによる閉扉ボタンＳＢ３の押圧によって確定すると、３回目の安全確認操作が完了し、入出庫扉４が閉じ始める。これに伴い、操作画面４５の表示が図２８〜図３１の表示に切り替わる。
【００９５】
入出庫扉４が閉じている間は、図２８〜図３１に示すように、４回目の安全確認操作が行われる。ここでは、１〜３回目の安全確認操作と同様に、乗入室７内に設置された４基の乗入室カメラ３５Ａ〜３５Ｄによる乗入室７内のリアルタイムな画像情報ＣＩと共に、扉反転ボタンＳＢ４（安全確認ボタン）が表示される。乗入室カメラ３５Ａ〜３５Ｄによる画像には、それぞれ「正面」（図２８）、「後面」（図２９）、「左側面」（図３０）、「右側面」（図３１）と表示される。
【００９６】
ユーザーは、これらの画像情報ＣＩを逐一確認するが、特に異常がなければ扉反転ボタンＳＢ４を押す必要はない。何か異常を発見した場合には、扉反転ボタンＳＢ４を押すことにより、入出庫扉４が反転（再開扉）する。この場合、制御は図２０に示す２回目の安全確認操作の段階まで戻される。入庫の完了後は、図３２に示すように、乗入室７内の画像が暫く表示される（例えば１０秒間）。そして、異常がなければ入庫は完了する。この最中に次のユーザーが入庫を開始したい場合には、操作画面４５の右上に表示されている予約ボタンＲＢを押す。これにより、操作画面４５の表示は図６に示す第１の認証画面に変わる。
【００９７】
上記の入庫操作の流れの中のいずれかの時点で、センサ３０（３０１〜３２０）のいずれかにより乗入室７内のエラー状況が検知された場合には、入出庫扉４が開扉され、操作画面４５は図１６〜図１８の画像に戻される。この場合、ユーザーは操作画面４５を見てエラー状況の内容を判断し、乗入室７に入ってエラー状況を解消させ、再び図１９に示す２回目の安全確認操作から操作をやり直す。
【００９８】
［出庫操作］
車両２を入庫させる時の流れについては、特に詳しくは説明しないが、ユーザーはまず第１の認証を行い、次に、出庫する車両２が搭載されたパレット１８を乗入室７に呼出し、入出庫扉４が開いたら乗入室７内に入って車両２に乗車し、車両２を乗入室７の外に搬出する。
【００９９】
車両２の搬出後、車両２から降車して操作盤２２に向かい、まず第２の認証を行い、次に、入庫操作時における２回目の安全確認操作と同様に操作画面４５上に表示される画像情報ＣＩを見ながら安全確認を行って乗入室７内の無人を確認する。
【０１００】
次に、入庫操作時における３回目の安全確認操作と同様な安全確認を行って入出庫扉４を閉じ、入出庫扉４が閉じている間は入庫操作時における４回目の安全確認操作と同様な安全確認を行いながら入出庫扉４が閉じるのを見届けて出庫操作を完了させる。この一連の確認作業中は、操作者カメラ４９によってユーザーの顔や手元等が記録される。
【０１０１】
図３３は、上述した１回目〜４回目の安全確認操作の時における制御の流れ（制御方法）を示すフローチャートである。
この安全確認制御の開始後、ステップＳ１で、図６や図１９に示す認証画面が表示される。なお、３回目と４回目の安全確認操作では、このステップは省略される。
【０１０２】
次に、ステップＳ２で、ユーザー認証が成功したか否かが判定される。ユーザー認証が失敗した場合（Ｓ２→ＮＯ）は再びステップＳ１に戻り、ユーザー認証が成功した場合（Ｓ２→ＹＥＳ）はステップＳ３に移行し、乗入室７内の画像情報ＣＩと、安全確認ボタンＳＢ１〜ＳＢ４が表示される。
【０１０３】
次に、ステップＳ４で、所定時間（例えば１分間）が経過したか否かが判定される。ユーザーはこの所定時間の間に安全確認ボタンＳＢ１〜ＳＢ４を押す必要がある。所定時間が経過した場合（Ｓ４→ＹＥＳ）はステップＳ１に戻り、所定時間が経過していない場合（Ｓ４→ＮＯ）はステップＳ５に移行する。
【０１０４】
ステップＳ５では、安全確認ボタンＳＢ１〜ＳＢ４が押されたか否かが判定される。押されていれば（Ｓ５→ＹＥＳ）ステップＳ６に移行し、押されていなければ（Ｓ５→ＮＯ）ステップＳ４に戻る。
【０１０５】
ステップＳ６では、センサ３０（３０１〜３２０）によって乗入室７内にエラー状況が検知されているか否かが判定される。エラー状況が検知されていなければ（Ｓ６→ＮＯ）ステップＳ７に移行し、次の操作段階が実行されて安全確認制御が終了する。また、乗入室７内にエラー状況が検知されていれば（Ｓ６→ＹＥＳ）ステップＳ８に移行する。
【０１０６】
ステップＳ８では、乗入室７内に４基設置された乗入室カメラ３５Ａ〜３５Ｄのうちから、エラー状況を撮影可能なカメラが選択される。次に、ステップＳ９で、選択したカメラによる画像情報ＣＩと、センサの検知情報ＤＩとが操作画面４５に表示される（図１６〜図１８参照）。そして、ステップＳ１０で乗入室７内を確認するように指示がなされた後、ステップＳ３に戻る。ユーザーは、乗入室７内に入ってエラー状況を確認・解消させた後、操作画面４５に表示される画像情報ＣＩを確認して安全確認ボタンＳＢ１〜ＳＢ４を押す操作をやり直す。
【０１０７】
ところで、入庫時および出庫時に、ユーザーが乗入室７に出入りする際には、センサによってユーザーの入退場が確認されるようになっている。
図３に示すように、乗入室７の内部の、入出庫口３付近を２本の赤外線ビーム３０ａ（検知ライン）が横切るように、車両後部センサ３０２と入出庫口非常停止センサ３０５が配置されている。車両後部センサ３０２の赤外線ビーム３０ａが奥側、入出庫口非常停止センサ３０５の赤外線ビーム３０ａが手前側（外側）となっている。
【０１０８】
そして、制御装置４０においては、図３４に示すように、先に手前側にある入出庫口非常停止センサ３０５が遮光されてＯＮになり、次に奥側にある車両後部センサ３０２が遮光されてＯＮになった時点で場内有人信号がＯＮになり、ユーザーが場内に入ったと判断される。
また、図３５に示すように、先に奥側にある車両後部センサ３０２が遮光されてＯＮになり、次に手前側にある入出庫口非常停止センサ３０５が遮光されてＯＮになった時点で場内有人信号がＯＦＦになり、ユーザーが場内から退出したと判断される。
【０１０９】
以上のように、本実施形態に係る安全確認システムＳＣＳ、および安全確認方法は、ユーザーが操作するタッチパネル式の操作画面４５の画面上に、乗入室カメラ３５Ａ〜３５Ｄによって撮影されたリアルタイムな画像情報ＣＩと、ユーザーが乗入室７内の安全を確認したことを報知する安全確認ボタンＳＢ１〜ＳＢ４とを併せて表示させることを特徴としている。
【０１１０】
このように、操作画面４５に乗入室内の画像情報ＣＩが表示されるため、この画像情報ＣＩをユーザーが確実に見て乗入室７内の安全を確認することができる。したがって、乗入室７内に人やペット等が居残ることを防止し、機械式駐車場設備１の安全性を高めることができる。
【０１１１】
なお、操作画面４５とは別に設置されたモニター等に乗入室７内の画像情報を表示すると、太陽光の反射等によって画像を明瞭に見ることができないことがある。また、ユーザーが操作画面４５から目線を外してモニター等を確認しなければならないため、操作性が低下してしまう。これに対し、本実施形態のように操作画面４５に乗入室７内の画像情報ＣＩを表示すれば、一般に操作画面４５は太陽光の影響を受けない角度を付与されていることから、ユーザーが画像情報ＣＩを良好に視認することができる。
【０１１２】
また、この安全確認システムＳＣＳおよび安全確認方法では、操作画面４５に、画像情報ＣＩおよび安全確認ボタンＳＢ１〜ＳＢ４と共に、センサ３０（３０１〜３２０）のリアルタイムな検知情報（アニメーションＤＩ）を併せて表示させようになっている。これにより、ユーザーは、操作画面４５上で安全確認ボタンＳＢ１〜ＳＢ４を操作する際に、乗入室７の画像情報ＣＩと共に、センサの検知情報ＤＩを確認することができるようになる。したがって、画像情報ＣＩのみでは判別し難いエラー状況でも認識することができ、エラー状況への対処が容易になり、より安全性を高めることができる。
【０１１３】
さらに、この安全確認システムＳＣＳおよび安全確認方法では、ユーザーによる乗入室７内部の安全確認時（１回目〜４回目の安全確認操作）に、センサ３０（３０１〜３２０）が乗入室７内のエラー状況を検知していないことを条件に、操作画面４５に画像情報ＣＩと共に安全確認ボタンＳＢ１〜ＳＢ４を表示させ、この安全確認ボタンＳＢ１〜ＳＢ４が押されない限り、次の操作段階に移行しないように制御している。
【０１１４】
これにより、ユーザーは、操作画面４５に表示された乗入室７内の画像情報ＣＩを確認して安全確認ボタンＳＢ１〜ＳＢ４を押すまで、次の操作段階に進むことができない。このため、ユーザーに乗入室７内の安全確認を確実に実行させ、より安全性を高めることができる。
【０１１５】
また、この安全確認システムＳＣＳでは、４基の乗入室カメラ３５Ａ〜３５Ｄが乗入室７内の異なる４個所に設置され、制御装置４０は、これら４基の乗入室カメラ３５Ａ〜３５Ｄによる４つの画像情報ＣＩを操作画面４５に表示してユーザーに逐一確認させ、ユーザーに安全確認ボタンＳＢ１〜ＳＢ４を押させている。このため、乗入室７内における死角を無くして安全性をより向上させることができる。
【０１１６】
さらに、この安全確認システムＳＣＳでは、複数のセンサ３０（３０１〜３２０）を乗入室７内の複数個所に設置し、これらのセンサのいずれかが乗入室７内の何らかのエラー状況を検知した場合には、制御装置４０が、乗入室７内に４基設置された乗入室カメラ３５Ａ〜３５Ｄの中から、上記のエラー状況を撮影可能な乗入室カメラを選択し、その画像情報ＣＩを操作画面４５に表示させるようになっている。このため、操作画面４５を操作するユーザーに、乗入室７の内部におけるエラー状況を確実に認識させて安全性を高めることができる。
【０１１７】
また、この安全確認システムＳＣＳおよび安全確認方法では、操作画面４５に安全確認ボタンＳＢ１〜ＳＢ４や画像情報ＣＩが表示されている最中、あるいは安全確認ボタンＳＢ１〜ＳＢ４が押された後に、センサ３０（３０１〜３２０）のいずれかが乗入室７内のエラー状況を検知した場合には、以後の操作を無効にさせるようにしている。
【０１１８】
こうすれば、ユーザーによる安全確認よりも、センサ３０（３０１〜３２０）によるエラー状況の検知が優先されて以後の操作が無効になるため、エラー状況の確認および修復が行われないまま機械式駐車場設備１が起動してしまうようなことを防止し、より安全性を高めることができる。
【０１１９】
また、この安全確認システムＳＣＳは、操作画面４５に近傍に設置した操作者カメラ４９によって操作画面４５を操作するユーザーの顔を撮影し、その映像を操作日時と共に記録するようになっている。
【０１２０】
このように、操作画面４５を操作するユーザーの顔と操作日時を記録しておくことで、万一事故や故障等が起きた時の検証を容易にすることができる。また、ユーザーは自身が撮影されていることを認識するため、馴れ合い的な操作（代理操作等）を自粛させる効果がある。
【０１２１】
なお、操作者カメラ４９によってユーザーの顔を終始撮影することは必須ではない。例えば、ユーザーが操作画面４５の安全確認ボタンＳＢ１〜ＳＢ４を押すタイミングでユーザーを撮影するようにしてもよい。
【０１２２】
また、この安全確認システムＳＣＳでは、乗入室７の内部の、入出庫口３付近を複数の赤外線ビーム３０ａが横切るようにセンサ３０２，３０５を配置し、これらのセンサ３０２，３０５の赤外線ビーム３０ａが遮光される順番によって、ユーザーが乗入室７に入退室したことを判断している。これにより、ユーザーの入退室状況を確実に検知して安全性を高めることができる。
【０１２３】
さらに、この安全確認システムＳＣＳでは、ユーザーが入出庫扉４を閉じる操作を行う時に、操作画面４５に画像情報ＣＩと共に閉扉ボタンＳＢ３を表示し、ユーザーに画像情報ＣＩを見せながら閉扉ボタンＳＢ３を所定時間（例えば１秒間）かけて長押しさせて入出庫扉４を閉じるようにしている。
【０１２４】
このように、閉扉ボタンＳＢ３を長押ししないと入出庫扉４が閉まらないため、ユーザーが操作画面４５を確認せずにうっかり閉扉ボタンＳＢ３に触れて押してしまうことを防止し、安全確認を確実に行わせて危険を回避することができる。
【０１２５】
また、この安全確認システムＳＣＳでは、入出庫扉４の閉扉動作中に、操作画面４５に画像情報ＣＩと共に扉反転ボタンＳＢ４が表示され、この扉反転ボタンＳＢ４をユーザーが押すと閉扉動作中の入出庫扉４が開扉するようになっている。
これにより、ユーザーが閉扉ボタンＳＢ３を押して入出庫扉４が閉じ始めてからであっても、操作画面４５に乗入室７内のエラー状況が表示された場合には扉反転ボタンＳＢ４を押すことにより入出庫扉４を再開扉させて危険を回避することができる。
【０１２６】
また、上記のように構成された安全確認システムＳＣＳを備えた機械式駐車場設備１によれば、乗入室７内に設置された４基の乗入室カメラ３５Ａ〜３５Ｄの画像をユーザーに確実に確認させながら、ユーザーに操作画面４５を操作させることができる。
したがって、乗入室７の内部に人やペット等が居残っていたり、駐車車両２のドアが開いていたりするといったエラー状況をユーザー自身が操作画面４５上で確認することができ、危険を回避して安全性を高めることができる。
【０１２７】
なお、本発明は、上記実施形態に限定されるものではなく、その要旨を逸脱しない範囲において、適宜変更を加えることができ、このように変更や改良を加えた実施形態も本発明の権利範囲に含まれるものとする。
【０１２８】
例えば、上記の説明では、エレベータ式の機械式駐車場設備を例にして説明したが、本発明に係る安全確認システムはエレベータ式に限らず、垂直循環式、平面往復式、水平循環式等、あらゆる方式の機械式駐車場設備に幅広く適用することができる。
【符号の説明】
【０１２９】
１  機械式駐車場設備
３  入出庫口
４  入出庫扉
７  乗入室
１４  リフト（搬送機）
３０  センサ
３０ａ  赤外線ビーム（センサの検知ライン）
３５Ａ〜３５Ｄ  乗入室カメラ
４０  制御装置
４５  操作画面
４９  操作者カメラ
ＣＩ  乗入室内の画像情報
ＤＩ  センサの検知情報
ＳＢ１  無人確認ボタン（安全確認ボタン）
ＳＢ２  無人確認ボタン（安全確認ボタン）
ＳＢ３  閉扉ボタン（安全確認ボタン）
ＳＢ４  扉反転ボタン（安全確認ボタン）
ＳＣＳ  安全確認システム
【図１】
2019073968.tif 000003
【図２】
2019073968.tif 000004
【図３】
2019073968.tif 000005
【図４】
2019073968.tif 000006
【図５】
2019073968.tif 000007
【図６】
2019073968.tif 000008
【図７】
2019073968.tif 000009
【図８】
2019073968.tif 000010
【図９】
2019073968.tif 000011
【図１０】
2019073968.tif 000012
【図１１】
2019073968.tif 000013
【図１２】
2019073968.tif 000014
【図１３】
2019073968.tif 000015
【図１４】
2019073968.tif 000016
【図１５】
2019073968.tif 000017
【図１６】
2019073968.tif 000018
【図１７】
2019073968.tif 000019
【図１８】
2019073968.tif 000020
【図１９】
2019073968.tif 000021
【図２０】
2019073968.tif 000022
【図２１】
2019073968.tif 000023
【図２２】
2019073968.tif 000024
【図２３】
2019073968.tif 000025
【図２４】
2019073968.tif 000026
【図２５】
2019073968.tif 000027
【図２６】
2019073968.tif 000028
【図２７】
2019073968.tif 000029
【図２８】
2019073968.tif 000030
【図２９】
2019073968.tif 000031
【図３０】
2019073968.tif 000032
【図３１】
2019073968.tif 000033
【図３２】
2019073968.tif 000034
【図３３】
2019073968.tif 000035
【図３４】
2019073968.tif 000036
【図３５】
2019073968.tif 000037